(57)【要約】【課題】中間支持金具の開閉状態の確認にかかる作業者の負担軽減を図ること。【解決手段】両端が開放された半円筒形状の溝１１２が一面２０１側に形成された一対の掴持体１１０と、一対の掴持体１１０を、溝１１２どうしを対向させた状態で接離可能に保持する保持機構１２０と、一対の掴持体１１０の少なくとも一方の掴持体１１０ａにおける、他方の掴持体１１０ｂと当接した状態で当該他方の掴持体１１０ｂによって覆われる位置に設けられた彩色部２１０と、を備えた中間支持金具１００を構成した。これにより、視認性の高い彩色部２１０が視認できるか否かによって、中間支持金具１００の開閉状態を容易に確認することができる。【選択図】図２
2020143721.tif 000002
【特許請求の範囲】
【請求項１】
両端が開放された半円筒形状の溝が一面側に形成された一対の掴持体と、
前記一対の掴持体を、前記溝どうしを対向させた状態で接離可能に保持する保持機構と、
前記一対の掴持体の少なくとも一方の掴持体における、他方の掴持体と当接した状態で当該他方の掴持体によって覆われる位置に設けられた彩色部と、
を備えたことを特徴とする中間支持金具。
【請求項２】
前記彩色部は、前記他方の掴持体と当接した状態で当該他方の掴持体によって全体が覆われる位置に設けられたことを特徴とする請求項１に記載の中間支持金具。
【請求項３】
前記彩色部は、前記溝の壁面とは異なる位置に設けられたことを特徴とする請求項１または２に記載の中間支持金具。
【請求項４】
前記彩色部は、前記一対の掴持体のそれぞれに設けられたことを特徴とする請求項１〜３のいずれか一つに記載の中間支持金具。
【請求項５】
前記彩色部は、前記掴持体における当該彩色部の周囲の色の対照色を呈することを特徴とする請求項１〜４のいずれか一つに記載の中間支持金具。
【請求項６】
前記彩色部は、赤色を呈することを特徴とする請求項１〜５のいずれか一つに記載の中間支持金具。
【発明の詳細な説明】
【技術分野】
【０００１】
この発明は、高所からの落下防止を目的として構造物に設けられるセーフティワイヤを保持する中間支持金具に関する。
【背景技術】
【０００２】
送電鉄塔に昇降する作業者の安全を確保するためのセーフティワイヤは、送電鉄塔の上部および地上付近に設けられた一対の保持金具によって、上端および下端が支持されている。セーフティワイヤの上端と下端との間の中間部位は、送電鉄塔の高さ方向に沿って設けられており、中間支持金具によって支持されている。
【０００３】
中間支持金具は、セーフティワイヤの中間部位を支持することによって、風などによって振動したセーフティワイヤが鉄塔部材に接触して損傷することを防止する。中間支持金具は、離間可能に当接する一対の把持部材を備え、一対の把持部材の間にセーフティワイヤを挟み込むことによってセーフティワイヤを支持する。
【０００４】
中間支持金具は、作業者が昇塔している間は、作業者の安全帯に連結される金具の移動を許容するように、一対の把持部材を離間させることができる。普通巡視などの送電鉄塔の巡視作業に際しては、開閉状態の確認、すなわち、中間支持金具が備える一対の把持部材が離間していないかの確認を、地上からの目視によっておこなっている。鉄塔上部に設置された中間支持金具の開閉状態は、双眼鏡を用いて確認している。
【０００５】
関連する技術として、具体的には、従来、たとえば、セーフティワイヤを挟持する第１保持部材および第２保持部材のうちの第２保持部材をばね部材によって第１保持部材に近づく方向に押し付けることで、第１保持部材と第２保持部材との間の緩みを抑制し、第２保持部材に対して第１保持部材の反対側に配置される対向部材の貫通孔を貫通して設けられたねじ部材を回転させて、第２保持部材を第１保持部材に近づく方向や離れる方向に移動させることによりワイヤの固定や固定解除作業を可能とする中間支持金具に関する技術があった（たとえば、下記特許文献１を参照。）。
【先行技術文献】
【特許文献】
【０００６】
【特許文献１】特開２０１７−１４００７７号公報
【発明の概要】
【発明が解決しようとする課題】
【０００７】
しかしながら、送電鉄塔上部に設置された中間支持金具の開閉状態は、双眼鏡を用いても見えにくいため、上述した従来の技術では、中間支持金具の開閉状態を地上からの目視によって確認することが困難であるという問題があった。
【０００８】
また、送電鉄塔は、高いもので１００メートルを超える高さのものがあり、送電鉄塔が高くなるほど、地上からの確認が困難になる中間支持金具の数が多くなるという問題があった。
【０００９】
仮に、中間支持金具を開放状態にしたまま、すなわち、セーフティワイヤが支持されていない状態のまま放置すると、セーフティワイヤが風などに起因して振動し、周囲の鉄塔構成部材に接触して損傷したり断線したりするおそれがあるという問題があった。セーフティワイヤは、作業者の安全を確保する設備であり、セーフティワイヤが損傷したり断線したりすることによって、作業者の安全性が低下してしまうという問題があった。
【００１０】
また、上述した特許文献１に記載された従来の技術は、セーフティワイヤを保持する保持部材の緩みを抑制するとともに、セーフティワイヤの固定や固定解除にかかる作業の簡素化を図ることができるものの、セーフティワイヤの固定や固定解除は、ねじ部材を締めたり緩めたりすることによっておこなうことから、中間支持金具の締め忘れが生じることが想定される。
【００１１】
このため、上述した特許文献１に記載された従来の技術による中間支持金具を用いた場合にも、鉄塔上での作業終了後に、中間支持金具がセーフティワイヤを保持する状態になっているかどうかの開閉状態の確認をおこなう必要があり、上記と同様に、地上から確認することが困難であるという問題があった。
【００１２】
この発明は、上述した従来技術による問題点を解消するため、中間支持金具の開閉状態の確認にかかる作業者の負担軽減を図ることができる中間支持金具を提供することを目的とする。
【００１３】
また、この発明は、上述した従来技術による問題点を解消するため、中間支持金具の開閉状態の確認にかかる作業者の負担軽減を図るとともに、セーフティワイヤを使用する作業者の安全を長期にわたって確保することができる中間支持金具を提供することを目的とする。
【課題を解決するための手段】
【００１４】
上述した課題を解決し、目的を達成するため、この発明にかかる中間支持金具は、両端が開放された半円筒形状の溝が一面側に形成された一対の掴持体と、前記一対の掴持体を、前記溝どうしを対向させた状態で接離可能に保持する保持機構と、前記一対の掴持体の少なくとも一方の掴持体における、他方の掴持体と当接した状態で当該他方の掴持体によって覆われる位置に設けられた彩色部と、を備えたことを特徴とする。
【００１５】
また、この発明にかかる中間支持金具は、上記の発明において、前記彩色部が、前記他方の掴持体と当接した状態で当該他方の掴持体によって全体が覆われる位置に設けられたことを特徴とする。
【００１６】
また、この発明にかかる中間支持金具は、上記の発明において、前記彩色部が、前記溝の壁面とは異なる位置に設けられたことを特徴とする。
【００１７】
また、この発明にかかる中間支持金具は、上記の発明において、前記彩色部が、前記一対の掴持体のそれぞれに設けられたことを特徴とする。
【００１８】
また、この発明にかかる中間支持金具は、上記の発明において、前記彩色部が、前記掴持体における当該彩色部の周囲の色の対照色を呈することを特徴とする。
【００１９】
また、この発明にかかる中間支持金具は、上記の発明において、前記彩色部が、赤色を呈することを特徴とする。
【発明の効果】
【００２０】
この発明にかかる中間支持金具によれば、中間支持金具の開閉状態の確認にかかる作業者の負担軽減を図ることができるという効果を奏する。
【００２１】
また、この発明にかかる中間支持金具によれば、中間支持金具の開閉状態の確認にかかる作業者の負担軽減を図るとともに、セーフティワイヤを使用する作業者の安全を長期にわたって確保することができるという効果を奏する。
【図面の簡単な説明】
【００２２】
【図１】この発明にかかる実施の形態の中間支持金具の構成を示す説明図（その１）である。
【図２】この発明にかかる実施の形態の中間支持金具の構成を示す説明図（その２）である。
【図３】この発明にかかる実施の形態の中間支持金具の構成を示す説明図（その３）である。
【図４】中間支持具の設置例を示す説明図である。
【図５】中間支持具の態様例を示す説明図（その１）である。
【図６】中間支持具の態様例を示す説明図（その２）である。
【図７】中間支持具の態様例を示す説明図（その３）である。
【図８】中間支持具の態様例を示す説明図（その４）である。
【発明を実施するための形態】
【００２３】
以下に添付図面を参照して、この発明にかかる中間支持金具の好適な実施の形態を詳細に説明する。
【００２４】
（中間支持金具の構成）
まず、この発明にかかる実施の形態の中間支持金具の構成について説明する。図１〜図３は、この発明にかかる実施の形態の中間支持金具の構成を示す説明図である。図１〜図３に示すように、この発明にかかる実施の形態の中間支持金具１００は、一対の掴持体１１０と、保持機構１２０と、彩色部２１０と、を備えている。
【００２５】
一対の掴持体１１０は、少なくとも一部に平坦な一面２０１を備えたブロック形状をなす。一対の掴持体１１０のうちの一方の掴持体１１０ａは、送電鉄塔（図４を参照）に固定された支持アーム１０１に固定されている。一対の掴持体１１０は、それぞれ、平坦な一面から内側に凹む溝１１２を備えている。溝１１２は、軸心方向における両端が開放された半円筒形状をなす。一対の掴持体１１０は、平坦な一面を対向させた状態で、保持機構１２０によって連結されている。
【００２６】
保持機構１２０は、一対の掴持体１１０を、平坦な一面２０１に設けられた溝１１２どうしを対向させた状態で保持する。保持機構１２０は、対向する各溝１１２の軸心方向が平行になるような状態で、一対の掴持体１１０を保持する。保持機構１２０は、溝１１２どうしを対向させた状態の一対の掴持体１１０を、接離可能に保持する。
【００２７】
平坦な一面２０１に設けられた各溝１１２は、一対の掴持体１１０が平坦な一面２０１どうしを当接させた状態において、円柱形状をなす空間１２３を形成する。円柱形状をなす空間１２３の直径寸法は、中間支持金具１００が支持対象とするセーフティワイヤ１０２の直径寸法よりも大きい。これにより、セーフティワイヤ１０２に負荷をかけることなく、セーフティワイヤ１０２を保持することができる。
【００２８】
保持機構１２０は、ボルト１２１と、ナット（図示を省略する）と、を備えている。ボルト１２１は、一対の掴持体１１０にそれぞれ設けられて当該一対の掴持体１１０の対向方向に沿って貫通する貫通孔を貫通するように挿入されている。ナットは、支持アーム１０１における一方の掴持体１１０ａとは反対側に位置づけられており、一対の掴持体１１０を貫通するように挿入されたボルト１２１の先端に螺合される。ナットは、支持アーム１０１に固定されていてもよい。
【００２９】
ボルト１２１の頭部には、操作用のハンドル１２１ａが設けられている。操作用のハンドル１２１ａは、頭部を間にして、頭部から相反する方向に突出した棒形状をなす。ハンドル１２１ａを備え、ナットを支持アーム１０１に固定することにより、作業者は、スパナなどの工具を用いることなく、ハンドル１２１ａを手で操作してボルト１２１を回転させることができる。
【００３０】
一対の掴持体１１０は、ボルト１２１が緩む方向にハンドル１２１ａを回転操作することによって、互いに離間する方向に移動可能になる。ボルト１２１が緩む方向にハンドル１２１ａを回転操作して、一対の掴持体１１０を互いに離間させることにより、一対の掴持体１１０のそれぞれが備える平坦な平面および溝１１２が、外部に開放される。
【００３１】
また、一対の掴持体１１０を互いに離間させることにより、平坦な一面２０１に形成された溝１１２によって形成される円柱形状をなす空間１２３が外部に開放され、当該空間１２３内に保持されていたセーフティワイヤ１０２を中間支持金具１００による保持から解放することができる。
【００３２】
中間支持金具１００において、一対の掴持体１１０は、それぞれ、ボルト１２１を中心として回動自在に設けられている。このため、セーフティワイヤ１０２の保持を解放した状態においては、ボルト１２１を中心として一対の掴持体１１０を回動させることができる。
【００３３】
ボルト１２１を中心として一対の掴持体１１０を回動させることにより、一対の掴持体１１０は、図３に示すように、セーフティワイヤ１０２を介することなく対向した状態となり、セーフティワイヤ１０２の周囲を開放することができる。セーフティワイヤ１０２の周囲を開放することにより、鉄塔に対する昇塔や降塔に際して、作業者が装着している安全帯に連結されたランヤードに設けられたロリップ環（いずれも図示を省略する）を、容易に通過させることができる。
【００３４】
一対の掴持体１１０は、ボルト１２１が緩む方向にハンドル１２１ａを回転操作することによって、ボルト１２１の頭部によって付勢されて、ナット（支持アーム１０１）に近づく方向に移動する。セーフティワイヤ１０２を保持する際は、一対の掴持体１１０における平坦な一面２０１どうしを当接させる位置までハンドル１２１ａを回転させる。これにより、一対の掴持体１１０は、ボルト１２１の頭部およびナット（支持アーム１０１）に狭持され、平坦な一面２０１どうしを当接させ、円柱形状をなす空間１２３を形成した状態（閉じた状態）で固定される。
【００３５】
彩色部２１０は、一対の掴持体１１０のそれぞれにおける平坦な一面２０１に設けられている。彩色部２１０は、一対の掴持体１１０の両方に設けられていてもよく、いずれか一方に設けられていてもよい。一対の掴持体１１０の両方に彩色部２１０をそれぞれ設けることにより、中間支持金具１００が開いた状態における、彩色部２１０の視認性を高めることができる。
【００３６】
彩色部２１０は、一対の掴持体１１０（一方の掴持体１１０ａおよび他方の掴持体１１０ｂ）のそれぞれが対向する掴持体（一方の掴持体１１０ａに対しては他方の掴持体１１０ｂ、他方の掴持体１１０ｂに対しては一方の掴持体１１０ａ）と当接した状態、すなわち、中間支持金具１００が閉じた状態において、対向する掴持体１１０によってそれぞれ覆われる。これにより、中間支持金具１００が閉じた状態においては、中間支持金具１００の外部から彩色部２１０を視認することはできない。
【００３７】
彩色部２１０は、中間支持金具１００が閉じた状態において、対向する掴持体１１０によって全体が覆われる位置に設けられている。これにより、中間支持金具１００が閉じた状態においては、中間支持金具１００の外部からの彩色部２１０の視認を確実に回避することができる。彩色部２１０は、溝１１２の壁面とは異なる位置に設けられている。すなわち、彩色部２１０は、一対の掴持体１１０のそれぞれにおける平坦な一面２０１のみに設けられている。
【００３８】
彩色部２１０は、たとえば、一対の掴持体１１０における平坦な一面２０１に設けた被膜によって実現することができる。具体的に、彩色部２１０は、たとえば、一対の掴持体１１０における平坦な一面２０１に、ペンキを塗布したり吹き付け塗装を施したりすることによって設けられた被膜によって実現することができる。あるいは、一対の掴持体１１０における平坦な一面２０１に焼付塗装を施すことによって設けられた被膜によって実現してもよい。
【００３９】
彩色部２１０は、耐候性が高く、長期にわたって劣化しない塗料によって形成された被膜によって実現することが好ましい。具体的に、彩色部２１０は、たとえば、シリコン塗料やフッ素樹脂塗料などによって形成された被膜によって実現することができる。あるいは、彩色部２１０は、セラミックやケイ素などの無機物を主成分とする無機塗料によって実現されるものであってもよい。
【００４０】
また、彩色部２１０は、長期にわたって発色が低下しない塗料によって形成された被膜によって実現することが好ましい。具体的に、彩色部２１０は、たとえば、耐候性や耐薬品性に優れた無機顔料（鉱物顔料）によって着色された塗料によって形成された被膜によって実現することが好ましい。彩色部２１０は、さらに、一対の掴持体１１０における発錆を抑制する防錆顔料などの機能性材料を含む塗料によって形成された被膜によって実現されるものであってもよい。
【００４１】
彩色部２１０は、掴持体における当該彩色部２１０の周囲の色の対照色（補色）を呈することが好ましい。対照色は、色相環（ｃｏｌｏｒ  ｃｉｒｃｌｅ）において、正反対の関係にある色であり、彩色部２１０を周囲の色の対照色によって実現することにより、彩色部２１０を周囲から際立たせ目立たせることができる。具体的には、たとえば、掴持体を形成する金属材料が呈する灰色ないし銀色をなす場合、彩色部２１０は、赤や黄色などの色を呈することが好ましい。なお、白色や黒色については、対照色（補色）の概念が適用されないため、彩色部２１０は、山間部に多く存在する樹木の緑や茶色に対する対照色を呈するものであってもよい。
【００４２】
（中間支持金具１００の設置例）
つぎに、この発明にかかる実施の形態の中間支持金具１００の設置例について説明する。図４は、中間支持金具１００の設置例を示す説明図である。図４に示すように、中間支持金具１００は、鉄塔４００などの建造物に取り付けられる。
【００４３】
鉄塔４００は、基礎部４１０と、鉄塔上部構造物４２０と、によって構成されている。具体的に、基礎部４１０は、たとえば、掘削穴内に据え付けられた基礎材や当該掘削穴内に充填されたコンクリートなどによって構成される。鉄塔上部構造物４２０は、主柱材（メインポスト）４２１、腕金部材（アーム）４２２、斜材（ブレーシング）４２３、水平材４２４などの各鉄塔部材を、ボルトなどを用いて固定することによって構成されている。
【００４４】
主柱材４２１、腕金部材４２２、斜材４２３などの鉄塔部材は、たとえば、主柱材４２１に溶接などの方法で設けられた主柱材プレート（図示を省略する）に、腕金部材４２２、斜材４２３、水平材４２４などの端部をボルトで固定することによって互いに連結されていてもよい。
【００４５】
鉄塔４００は、さらに、対辺材、補助材、対角材などの鉄塔部材を含んで構成されていてもよい。各鉄塔部材は、たとえば、重防食塗装により灰色に塗装されたアングル材によって実現することができる。中間支持金具１００は、鉄塔４００との調和、および、鉄塔４００が建設されている環境との調和を考慮して、鉄塔部材が呈する色と同等の色を主体として構成されている。
【００４６】
主柱材４２１は、基礎部４１０から起立して設けられる。主柱材４２１は、鉄塔４００を水平方向に切断した断面がなす四角形の頂点に位置するように設けられる。主柱材４２１は、腕金部材４２２を所定の高さにおいて支持。腕金部材４２２は、主柱材４２１に固定され、腕金を構成する。腕金部材４２２は、主柱材４２１がなす四角形の外周側に向かって、水平方向に沿って突出している。腕金は、先端部分において、架空送電線を支持する。
【００４７】
斜材４２３は、水平方向および鉛直方向に対して傾斜させた状態で、隣接する主柱材４２１の間に架け渡されている。斜材４２３を設けることにより、鉄塔上部構造物４２０の強度を高めることができる。水平材４２４は、水平方向に沿って、隣接する主柱材４２１の間に架け渡されている。対辺材は、鉄塔４００を水平方向に切断した断面において隣り合う水平材４２４の中央どうしをつなぐように、当該隣り合う水平材４２４の間に架け渡されている。
【００４８】
対角材は、主柱材４２１がなす四角形の対角に位置する主柱材４２１の間に架け渡されている。同一水平面内において主柱材４２１がなす四角形の対角線が交差する位置には、対角材を支持する鋼板が設けられていてもよい。対角材は、たとえば、腕金部材４２２と同じ高さに設けられている。
【００４９】
鉄塔４００には、主柱材４２１の立設方向に沿って、セーフティワイヤ１０２が設けられている。セーフティワイヤ１０２は、主柱材４２１に這わせるようにして、鉄塔４００の高さ方向に沿って設置されている。セーフティワイヤ１０２の上端は、上部支持金具４３１によって支持されており、セーフティワイヤ１０２の下端は下部支持金具４３２によって支持されている。
【００５０】
中間支持金具１００は、主柱材４２１の立設方向における上部支持金具４３１と下部支持金具４３２との間に取り付けられている。中間支持金具１００は、主柱材４２１の立設方向に沿って複数取り付けられている。セーフティワイヤ１０２の長さは鉄塔４００の高さに応じて長くなり、数十ｍを超える場合がある。
【００５１】
振動によるセーフティワイヤ１０２の振幅は、セーフティワイヤ１０２の長さが長いほど大きくなる。このため、中間支持金具１００は、セーフティワイヤ１０２の長さに応じて、セーフティワイヤ１０２が長いほど多く取り付けることが好ましい。
【００５２】
（中間支持金具１００の態様例）
【００５３】
つぎに、中間支持金具１００の態様例について説明する。図５〜図８は、中間支持金具１００の態様例を示す説明図である。作業者５００は、中間支持金具１００によって保持されるセーフティワイヤ１０２を備えた鉄塔４００への昇塔に際し、安全帯を装着し、安全帯が備えるランヤードの先端に設けられたロリップ環をセーフティワイヤ１０２に連結する。これにより、安全帯を介して作業者５００と鉄塔などの構造物とが連結され、安全帯を装着して高所作業をおこなう作業者５００の落下を防止し、安全に作業をおこなわせることができる。
【００５４】
安全帯は、高所で作業をおこなう作業者５００の墜落を防止する目的で装着されるものであるため、ロリップ環は、作業者５００が昇塔している間はセーフティワイヤ１０２から取り外さない。ロリップ環は、作業者５００が鉄塔４００を昇塔する際は作業者５００の動きにしたがってセーフティワイヤ１０２に沿って引き上げられ、作業者５００が降塔する際は作業者５００の動きにしたがって自重によりセーフティワイヤ１０２に沿って下降する。
【００５５】
鉄塔４００への昇塔をともなう作業に際しては、最初に昇塔する作業者５００が、中間支持金具１００ごとに、中間支持金具１００におけるハンドル１２１ａを順次回転操作し、中間支持金具１００を開いた状態にしながら昇塔する。このとき、図５に示すように、互いに離間した状態にある一対の掴持体１１０をボルト１２１を中心として回動させることにより、以降に続く作業者５００が容易に昇塔することができる。
【００５６】
鉄塔４００上での作業が終了して降塔する際は、最後に降塔する作業者５００が、中間支持金具１００におけるハンドル１２１ａを１つずつ回転操作し、中間支持金具１００を閉じた状態にしながら降塔する。最後に降塔する作業者５００は、中間支持金具１００における一対の掴持体１１０の間に形成される円柱形状をなす空間１２３内にセーフティワイヤ１０２を位置づけてから、締める方向にハンドル１２１ａを回転操作する。
【００５７】
そして、すべての作業者５００が地上に降りた後、中間支持金具１００の最終確認をおこなう。中間支持金具１００の最終確認は、地上からの目視によっておこなう。鉄塔上部に設置された中間支持金具１００の開閉状態は、双眼鏡を用いて確認する。従来の中間支持金具１００においては、一対の掴持体１１０の外表面のすべてが一様の色彩であったため、中間支持金具１００の開閉状態を地上からの目視によって確認することが困難であった。具体的には、一対の掴持体１１０の外表面のすべてが一様の色彩であったため、開いた状態なのか閉じた状態なのかを判別しにくく、判別するまでに時間がかかってしまっていた。
【００５８】
最終確認において開閉状態が不明である中間支持金具１００がある場合、作業者５００は、図６に示すように、地上から、開閉状態が不明である中間支持金具１００までの間にある中間支持金具１００を再度開きながら昇塔し、開閉状態が不明である中間支持金具１００が閉じていることを確認した後に、中間支持金具１００を閉じた状態にしながら降塔する。その後、地上からの目視によって中間支持金具１００の最終確認をおこなわなくてはならず、煩わしく、作業完了までに時間がかかってしまっていた。
【００５９】
これに対し、この発明にかかる実施の形態の中間支持金具１００は、閉じ忘れて開いた状態のままの中間支持金具１００は、図７に示すように、彩色部２１０が外部に開放されているため、鉄塔に昇塔することなく地上から中間支持金具１００の開閉状態を容易かつ確実に確認することができる。また、閉じた状態の中間支持金具１００は、図８に示すように、対向する掴持体１１０によって彩色部２１０がすべて覆われているため、鉄塔に昇塔することなく地上から中間支持金具１００の開閉状態を容易かつ確実に確認することができる。
【００６０】
仮に、閉じ忘れて開いた状態のままの中間支持金具１００を見つけた場合は、図６に示すように、再度、鉄塔４００を昇塔して、開いた状態のままの中間支持金具１００を閉じる必要がある。このような状況において、作業者５００は、地上から閉じ忘れて開いた状態のままの中間支持金具１００までの間にある、一度、閉じた状態にある中間支持金具１００を、再度開きながら昇塔することになるが、この発明にかかる実施の形態の中間支持金具１００によれば、中間支持金具１００が開いた状態にある場合は、降塔する動作をしながらでも彩色部２１０を容易に視認することができる。
【００６１】
このため、降塔する途中で、適宜、頭上にある中間支持金具１００を目視することにより、地上から再度昇塔することなく、閉め忘れた中間支持金具１００を見つけ次第戻って閉めてくることができる。これにより、閉じ忘れて開いた状態のままの中間支持金具１００がある場合にも、地上において最終確認をおこなってから再度閉じるために昇塔する場合と比較して、作業完了までの時間短縮を図ることができる。
【００６２】
以上説明したように、この発明にかかる実施の形態の中間支持金具１００は、両端が開放された半円筒形状の溝１１２が一面側に形成された一対の掴持体１１０と、一対の掴持体１１０を、溝１１２どうしを対向させた状態で接離可能に保持する保持機構１２０と、一対の掴持体１１０の少なくとも一方の掴持体１１０ａにおける、他方の掴持体と当接した状態で当該他方の掴持体によって覆われる位置に設けられた彩色部２１０と、を備えたことを特徴としている。
【００６３】
この発明にかかる実施の形態の中間支持金具１００によれば、少なくとも一方の掴持体１１０ａにおける、他方の掴持体と当接した状態で当該他方の掴持体によって覆われる位置に彩色部２１０を設けることにより、視認性の高い彩色部２１０が視認できるか否かによって、中間支持金具１００の開閉状態を確認することができる。これにより、作業者５００は、中間支持金具１００から離れた位置においても、中間支持金具１００の開閉状態を容易かつ確実に確認することができる。
【００６４】
これによって、鉄塔に昇塔することなく地上から中間支持金具１００の開閉状態を容易かつ確実に確認することができるので、中間支持金具１００の開閉状態の確認にかかる作業者５００の負担軽減を図るとともに、不使用時におけるセーフティワイヤ１０２を確実に保持してセーフティワイヤ１０２の損傷や断線を確実に防止することによりセーフティワイヤ１０２を使用する作業者５００の安全を長期にわたって確保することができる。
【００６５】
また、この発明にかかる実施の形態の中間支持金具１００は、彩色部２１０が、他方の掴持体と当接した状態で当該他方の掴持体によって全体が覆われる位置に設けられたことを特徴としている。
【００６６】
この発明にかかる実施の形態の中間支持金具１００によれば、中間支持金具１００がセーフティワイヤ１０２を保持する閉じた状態においては、彩色部２１０を視認することができなくすることができる。これにより、作業者５００は、中間支持金具１００から離れた位置において、中間支持金具１００が閉じた状態にあることを確実に確認することができる。
【００６７】
これによって、中間支持金具１００の開閉状態の確認にかかる作業者５００の負担軽減を図るとともに、セーフティワイヤ１０２を使用する作業者５００の安全を長期にわたって確保することができる。
【００６８】
また、この発明にかかる実施の形態の中間支持金具１００は、彩色部２１０が、溝１１２の壁面とは異なる位置に設けられたことを特徴としている。
【００６９】
この発明にかかる実施の形態の中間支持金具１００によれば、中間支持金具１００が溝１１２の間にセーフティワイヤ１０２を保持する閉じた状態において、セーフティワイヤ１０２と彩色部２１０との接触を防止することができる。これにより、セーフティワイヤ１０２が擦れることによって起因する彩色部２１０の損傷や剥離などの劣化を防止するとともに、彩色部２１０をなす塗料などが付着することによるセーフティワイヤ１０２の劣化を防止することができる。
【００７０】
これによって、彩色部２１０の視認性を長期にわたって維持して中間支持金具１００の長寿命化を図るとともに、セーフティワイヤ１０２を使用する作業者５００の安全を長期にわたって確保することができる。
【００７１】
また、この発明にかかる実施の形態の中間支持金具１００は、彩色部２１０が、一対の掴持体１１０のそれぞれに設けられたことを特徴としている。
【００７２】
この発明にかかる実施の形態の中間支持金具１００によれば、開いた状態における中間支持金具１００の彩色部２１０を目視できる範囲を広く確保することができる。これにより、作業者５００は、中間支持金具１００に対する位置にかかわらず、中間支持金具１００の開閉状態を容易かつ確実に確認することができる。
【００７３】
これによって、中間支持金具１００の開閉状態の確認にかかる作業者５００の負担軽減を図るとともに、セーフティワイヤ１０２を使用する作業者５００の安全を長期にわたって確保することができる。
【００７４】
また、この発明にかかる実施の形態の中間支持金具１００は、彩色部２１０が、掴持体における当該彩色部２１０の周囲の色の対照色を呈することを特徴としている。
【００７５】
この発明にかかる実施の形態の中間支持金具１００によれば、彩色部２１０と彩色部２１０の周囲との区別をつきやすくして、彩色部２１０の高い視認性を確保することができる。これにより、天候など中間支持金具１００の周囲の環境に左右されることなく、中間支持金具１００の開閉状態を容易かつ確実に確認することができる。
【００７６】
これによって、中間支持金具１００の開閉状態の確認にかかる作業者５００の負担軽減を図るとともに、セーフティワイヤ１０２を使用する作業者５００の安全を長期にわたって確保することができる。
【００７７】
また、この発明にかかる実施の形態の中間支持金具１００は、彩色部２１０が、赤色を呈することを特徴としている。
【００７８】
この発明にかかる実施の形態の中間支持金具１００によれば、彩色部２１０が、波長が長く進出色などと称される赤色を呈することにより、視認中間支持金具１００の周囲の環境に左右されることなく彩色部２１０の視認性を確保することができる。これにより、中間支持金具１００の開閉状態を容易かつ確実に確認することができる。
【産業上の利用可能性】
【００７９】
以上のように、この発明にかかる中間支持金具は、高所からの落下防止を目的として構造物に設けられるセーフティワイヤを保持する中間支持金具に有用であり、特に、送電鉄塔などの大型の構造物に設けられるセーフティワイヤを保持する中間支持金具に適している。
【符号の説明】
【００８０】
１００  中間支持金具
１０１  支持アーム
１０２  セーフティワイヤ
１１０、１１０ａ、１１０ｂ  掴持体
１１２  溝
１２０  保持機構
１２１  ボルト
１２１ａ  ハンドル
２０１  一面
２１０  彩色部
４００  鉄塔
【図１】
2020143721.tif 000003
【図２】
2020143721.tif 000004
【図３】
2020143721.tif 000005
【図４】
2020143721.tif 000006
【図５】
2020143721.tif 000007
【図６】
2020143721.tif 000008
【図７】
2020143721.tif 000009
【図８】
2020143721.tif 000010